(57)【要約】【課題】  １００％のデューティ比又は最大許容電圧を常に印加する必要がなく、光源（管）の寿命をのばしつつ、実用上問題のない時間で、必要な光量を達成できる画像読取装置を提供する。【解決手段】  動作開始時に、温度Ｔを検出し（ＳＴ２）、検出温度Ｔが所定値Ｔ１（Ｔ１＜Ｔ２）よりも小さいか判定し（ＳＴ３）、所定値Ｔ１より小さいと低温であると判断し、高電圧の印加電圧Ｖ１を選択する（ＳＴ４）。この印加電圧Ｖ１により、光源２８を点灯駆動する（ＳＴ５）。一方、検出温度ＴがＴ１＜Ｔ≦Ｔ２であると（ＳＴ８）、中電圧の印加電圧Ｖ２を選択し（ＳＴ９）、また検出電圧ＴがＴ２より大であると、低電圧の印加電圧Ｖ３を選択し（ＳＴ１０）、それぞれの印加電圧Ｖ２、Ｖ３で光源２８を点灯駆動する。【選択図】      図３
2005184170.tif 000002
【特許請求の範囲】
【請求項１】
光源と、光源を点灯駆動する点灯駆動手段と、点灯環境条件を検出する点灯環境条件検出手段と、検出手段で検出された点灯環境条件に基づき、光源の点灯駆動開始時の印加電力を調整する制御手段とからなることを特徴とする画像読取装置。
【請求項２】
前記点灯環境条件は温度であり、検出手段は温度検出手段であることを特徴とする請求項１記載の画像読取装置。
【請求項３】
前記点灯環境条件は前回の読み取り終了からの経過時間であり、前記検出手段はタイマであることを特徴とする請求項１記載の画像読取装置。
【発明の詳細な説明】
【技術分野】
【０００１】
この発明は、複写装置、ファクシミリ装置、複写機能・ファクシミリ機能等の多機能を有する複合機、スキャナ装置等の画像読取装置に関する。
【背景技術】
【０００２】
一般に画像読取装置には、光源から光を原稿に照射し、その反射光を光学系を経てＣＣＤに取り込み、光電変換して、画像データを読み取るものがある。この種の画像読取装置において、光源に蛍光管や冷陰極管を用いることが多い。これらの光源は、点灯してから読み取りに十分な明るさになるまで、ある程度時間がかかる。そこで、点灯から読み取りが開始できるまでの時間を短くするために、光源が読み取りに必要な明るさに達するまでは、１００％のデューティ比で駆動する技術が提案されている（例えば、特許文献１参照）。
【特許文献１】特開平１−３０３４２６号公報
【発明の開示】
【発明が解決しようとする課題】
【０００３】
上記した光源が点灯してから読み取りに十分な光量となるまでの時間は、その時の環境温度によって異なる。つまり、管（光源）の温度が低い程、時間がかかる。逆に、管の温度が高いと、少ない時間で良い。それゆえ、上記特許文献１に記載の技術のように、温度にかかわず、１００％デューティ比を印加すると、時により過剰点灯となり、蛍光管や冷陰極管の寿命が短くなるという問題がある。  この発明は上記問題点に着目してなされたものであって、１００％のデューティ比又は最大許容電圧を常に印加する必要がなく、光源（管）の寿命をのばしつつ、実用上問題のない時間で、必要な光量を達成することができる画像読取装置を提供することを目的としている。
【課題を解決するための手段】
【０００４】
この画像読取装置は、光源と、光源を点灯駆動する点灯駆動手段と、点灯環境条件を検出する点灯環境条件検出手段と、検出手段で検出された点灯環境条件に基づき、光源の点灯駆動開始時の印加電力を調整する制御手段とからなる。
【０００５】
この発明の画像読取装置において、前記点灯環境条件は例えば温度であり、検出手段は温度検出手段である。
【０００６】
また、この発明の画像読取装置において、前記点灯環境条件は例えば前回の読み取り終了からの経過時間であり、前記検出手段はタイマであっても良い。
【発明の効果】
【０００７】
この発明によれば、温度等の点灯環境条件を検出し、検出した点灯環境条件に基づき、光源の点灯駆動開始時の印加電力を調整するので、環境温度が高い、あるいは前回の読み取り終了から時間がそれほど経過していない段階では、蛍光管、冷陰極管の温度がある程度高いので、１００％のデューティ比、又は最大許容電圧を常に印加する必要がなく、管の寿命をのばしつつ、実用上問題のない時間で必要な光量を達成することができる。
【発明を実施するための最良の形態】
【０００８】
以下、実施の形態により、この発明を更に詳細に説明する。図１は、この発明の一実施形態であるファクシミリ装置（複合機）の構成を示すブロック図である。
【０００９】
図１において、主制御部としてのＣＰＵ（中央処理装置）１は、当該装置を構成する各部を統括制御する機能を有する。このＣＰＵ１には、ＮＣＵ（網制御回路：Network Control Unit）２、ＭＯＤＥＭ３、ＲＯＭ４、ＲＡＭ５、画像メモリ６、表示部７、操作パネル８、画像読み取り部９、プリンタ１０、ＣＯＤＥＣ（符号化・復号器：Coder and Decoder ）１１、ＬＡＮ  Ｉ／Ｆ１２がバス１３を介して接続されている。
【００１０】
ＮＣＵ２は、ＣＰＵ１により制御されて、通信回線である電話回線網（ＰＳＴＮ）１４との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して電話回線網１４に送出するために、デジタル信号である送信データをアナログの音声信号に変調する機能を有する。また、ＭＯＤＥＭ３は、電話回線網１４からＮＣＵ２を介して受信したアナログの音声信号をデジタル信号に復調する機能を有する。
【００１１】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。画像メモリ６は、画像読み取り部９で読み取った画像データを圧縮状態で記憶する。さらに、画像メモリ６は、パーソナルコンピュータ等の外部装置からネットワーク（ＬＡＮ）１５を介して受信した画像データ又は記録メディアから読み込んだ画像データを圧縮状態（ＪＰＥＧ等）で記憶する。
【００１２】
表示部７は、アイコン、キーボタンの表示や、データの送受信に必要なメッセージ内容、操作パネル８の操作により入力された電話番号やＦＡＸ番号等を表示する。この表示部７としては、ＬＣＤ（液晶表示装置）が用いられる。操作パネル８は、テンキーと、モード切替キーと、ワンタッチキーと、短縮キーと、登録キーと、スタートキーと、ストップキー等を有する。
【００１３】
画像読み取り部９は、ファクシミリ送信するとき又はコピーするときに、あるいはスキャナデータを得たいときに、原稿の画像データを光学的に走査して読み取る。この画像読み取り部９は、カラー画像の読み取りも可能である。
【００１４】
この画像読み取り部９は、ＣＣＤイメージセンサ２１と、ＡＦＥ（アナログフロントエンド）回路２２と、Ａ／Ｄ変換部２３と、スキャナ画像処理回路２４と、スキャナ機構制御部２５と、温度検出用のサーミスタ２６と、インバータ２７と、冷陰極管２８とを備えている。
【００１５】
ＣＣＤイメージセンサ２１は、原稿の１走査線の画像を読み取り、所定間隔をおいて、次の走査線画像を順次に読み取る。ＡＦＥ回路２２は、ＣＣＤイメージセンサ２１の出力をアナログ増幅する。Ａ／Ｄ変換部２３は、ＡＦＥ回路２２のアナログ出力をデジタル信号に変換する。スキャナ画像処理回路２４は、入力されたデジタル画像信号に対して、シェーディング補正、ガンマ補正等の画像処理を実行する。
【００１６】
スキャナ機構制御回路２５は、スキャナ機構部のキャリッジモータ（図示省略）の制御、更にサーミスタ２６を用いて検出した温度に応じて、インバータ２７から冷陰極管２８に印加する駆動電圧を制御する。
【００１７】
プリンタ１０は、電子写真方式のプリンタであり、受信画像データやコピー動作において画像読み取り部９で読み取った原稿の画像データを記録紙上に記録する。
【００１８】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮符号化された状態で受信した画像データを、プリンタ１０により記録するために復号（デコード）する。ＬＡＮ  Ｉ／Ｆ１２は、ＬＡＮ（ローカルエリアネットワーク）１５を介して外部機器とのデータ授受を行うためのものであり、ＬＡＮ  Ｉ／Ｆ１２を介してＰＣ（パーソナルコンピュータ）等の外部機器が接続される。例えば、ＬＡＮ  Ｉ／Ｆ１２を介して、外部機器からコピーすべき画像データを受信することができる。
【００１９】
図２は、この実施形態複合機の画像読み取り部９のスキャナ機構部及びスキャナ回路部を示す図である。ＡＦＥ回路２２は、ＣＣＤイメージセンサ２１からのアナログ信号を入力に取り込むサンプルホールド回路２２ａと、ゲイン調整機能を有し、アナログ信号を増幅するＡＧＣ回路２２ｂとを備えている。スキャナ画像処理回路２４には、シェーディング補正回路２４ａ、γ補正テーブル２４ｂ、２値化回路２４ｃを備えている。
【００２０】
また、原稿が載置されるガラス基板３１が支持される支持板３０の下方に、シェーディングプレート３２が固設されている。このガラス基板３１、シェーディングプレート３２の下方に、ＣＣＤイメージセンサ２１、光源（冷陰極管）２８、ミラー３４、３５、３６、レンズ３７からなる光学系３８が配置され、この光学系３８がキャリッジで移動自在に構成されている。
【００２１】
次に、この実施形態複合機の原稿読取時の光源駆動処理動作を、図３に示すフロー図を参照して説明する。先ず、ステップＳＴ１において、スタートキーか否か、つまりスタートキーが押下されたか否かを判定する。、スタートキーが押下されると、ステップＳＴ２に移行する。ステップＳＴ２においては、スキャナ機構制御回路２５で、サーミスタ２６により、温度Ｔの検出を行う。続いて、ステップＳＴ３へ移行する。ステップＳＴ３においては、検出した温度ＴがＴ１以下であるか否か判定する。検出温度ＴがＴ１以下である場合は、環境温度が低温であるとし、ステップＳＴ４へ移行する。一方、温度ＴがＴ１より大きい場合は、ステップＳＴ８へ移行する。
【００２２】
ステップＳＴ４においては、光源２８への印加電力Ｖ１を選択する。この印加電圧Ｖ１は、図５に示すように、Ｖ１＞Ｖ２＞Ｖ３であり、選択する印加電圧の中で、最も高電圧である。次に、ステップＳＴ５へ移行する。ステップＳＴ５においては、インバータ２７より選択された印加電圧Ｖ１を光源２８に加え、点灯する。続いて、ステップＳＴ６へ移行する。ステップＳＴ６においては、光源２８の光量が所定値に達しているか否かを判定する。光量は、図１に示すように、光電センサ２９を設け、この光電センサ２９による検出受光量を使用する。この受光量は、ＣＣＤイメージセンサ２１により、シェーディングプレート３２を読み取ったときの出力を適用しても良い。所定値になるまでは、このステップＳＴ６にとどまる。この間に、光源２８へは印加電圧Ｖ１が与えられている。一方、光量が所定値になると、ステップＳＴ７へ移行する。ステップＳＴ７においては、印加電圧を定常点灯電圧Ｖ０とする。
【００２３】
ステップＳＴ８においては、温度ＴがＴ１よりも大きく、Ｔ２以下（Ｔ１＜Ｔ≦Ｔ２）か否か判定する。判定が「はい」の場合は、環境温度が中温であるとし、ステップＳＴ９へ移行する。一方、温度ＴがＴ２よりも大きい場合は、環境温度が高温であるとし、ステップＳＴ１０へ移行する。
【００２４】
ステップＳＴ９においては、検出温度Ｔが中温度であるため、印加電圧としてＶ２を選択する。また、ステップＳＴ１０においては、検出温度が高温度であるため、印加電圧としてＶ３を選択する。ステップＳＴ９、あるいはステップＳＴ１０に続いて、ステップＳＴ５へ移行する。そして、選択された印加電圧Ｖ２あるいはＶ３で、光源２８を点灯駆動する。
【００２５】
この実施形態において、検出温度の判定につき、低温、中温、高温のいずれであるか判定しているが、段階を更に細かく判定し、あるいは２段階に、又は連続的に検出し、それに応じて印加電圧を制御するようにしても良い。
【００２６】
印加電圧を環境に応じて制御する他の実施形態として、前回の読み取り終了時からの経過時間を計数するタイマを設け、このタイマによる経過時間に応じ、印加電圧を制御するようにしても良い。この実施形態による原稿読取時の光源駆動処理動作を図４に示すフロー図を参照して説明する。
【００２７】
ステップＳＴ１１において、スタートキーか否かを判定する。スタートキーが押下されると、ステップＳＴ１２へ移行する。ステップＳＴ１２においては、タイマより、前回の読み取り終了後からの経過時間ｔを読み出す。次に、ステップＳＴ３へ移行する。ステップＳＴ３においては、読み出した経過時間ｔがｔ１以上であるか否か判定する。経過時間ｔがｔ１以上である場合は、光源２８かオフしてからの時間が大きく経過し、光源２８が温度低下しているものとし、ステップＳＴ１４へ移行する。一方、経過時間ｔがｔ１より小さい場合は、ステップＳＴ１８へ移行する。
【００２８】
ステップＳＴ１４においては、光源２８への印加電圧Ｖ１（Ｖ１＞Ｖ２＞Ｖ３＞Ｖ０）を選択する。次に、ステップＳＴ１５へ移行する。ステップＳＴ１５においては、印加電圧Ｖ１を光源２８に与えて光源２８を点灯する。続いて、ステップＳＴ１６へ移行する。ステップＳＴ１６においては、光源２８の光量が所定値に達したか否かを判定する。所定値になるまでは、このステップＳＴ１６にとどまる。この間に、光源２８へは印加電圧Ｖ１が与えられている。一方、所定値になると、ステップＳＴ１７へ移行する。ステップＳＴ１７においては、印加電圧を定常点灯電圧Ｖ０とする。
【００２９】
ステップＳＴ１８においては、経過時間ｔがｔ１よりも小さく、ｔ２以上（ｔ１＞ｔ２）否か判定する。判定が「はい」の場合は、経過時間が中程度であるとし、ステップＳＴ１９へ移行する。一方、経過時間がｔ２よりも小の場合は、経過時間は小であるとし、ステップＳＴ２０へ移行する。
【００３０】
ステップＳＴ１９においては、経過時間ｔが中程度であるため、印加電圧としてＶ２を選択する。また、ステップＳＴ２０においては、経過時間ｔが小程度であるため、印加電圧としてＶ３を選択する。次に、ステップＳＴ１９、あるいはステップＳＴ２０に続いて、ステップＳＴ１５へ移行する。そして、選択された印加電圧Ｖ２あるいはＶ３で光源２８を点灯駆動する。
【００３１】
この実施形態においても、経過時間の判定につき、大、中、小の３段階のいずれであるか判定しているが、段階を更に細かく、あるいは２段階、又は連続的に検出し、それに応じて印加電圧を制御するようにしても良い。
【図面の簡単な説明】
【００３２】
【図１】この発明が実施されるファクシミリ装置（複合機）の概略構成を示すブロック図である。
【図２】同実施形態ファクシミリ装置の画像読取部の要部を説明する図である。
【図３】同実施形態ファクシミリ装置の画像読取部の光源の点灯処理動作を説明するフロー図である。
【図４】他の実施形態ファクシミリ装置の画像読取部の光源の点灯処理動作を説明するフロー図である。
【図５】同実施形態ファクシミリ装置の検出温度と光源への点灯印加電圧の関係を示す図である。
【符号の説明】
【００３３】
１          ＣＰＵ
９          画像読取部
２１        ＣＣＤイメージセンサ
２２        ＡＦＥ回路
２３        Ａ／Ｄ変換部
２４        スキャナ画像処理回路
２４ａ      シェーディング補正回路
２４ｂ      γ補正テーブル
２４ｃ      ２値化回路
２５        スキャナ機構制御回路
２６        サーミスタ
２７        インバータ
２８        光源（冷陰極管）
３２        シェーディングプレート
３８        光学系
【図１】
2005184170.tif 000003
【図２】
2005184170.tif 000004
【図３】
2005184170.tif 000005
【図４】
2005184170.tif 000006
【図５】
2005184170.tif 000007